(57)【要約】【課題】長さの調整によるエレベータ装置の運転効率の悪化を防止することができるとともに、長さを容易に調整することができるエレベータの釣合おもり用スペーサ装置を得ることを目的とする。【解決手段】釣合おもり用スペーサ装置７は、互いに螺合されているスペーサ体９〜１３と、スペーサ体１０〜１３に螺合されている締め付け板１４〜１７とを備えている。釣合おもり用スペーサ装置７は、釣合おもり１の下部に設けられ、釣合おもり１の下方に設置された釣合おもり緩衝器へ向けて突出している。スペーサ体９〜１３は、互いの螺合量を調整できるようになっている。この螺合量の調整により、釣合おもり用スペーサ装置７は伸縮可能になっている。スペーサ体９〜１３の螺合量の固定は、締め付け板１４〜１７の締め付けによって行われる。【選択図】        図２
2004217389.tif 000002
【特許請求の範囲】
【請求項１】
釣合おもりの下方に設置されている釣合おもり緩衝器へ向けて突出するように上記釣合おもりの下部に搭載され、かつ互いに螺合されている複数のスペーサ体を備え、
上記スペーサ体相互の螺合量を調整することにより、上記釣合おもりの昇降方向への長さが伸縮可能になっていることを特徴とするエレベータの釣合おもり用スペーサ装置。
【請求項２】
上記スペーサ体の回動を阻止することにより上記昇降方向への長さを保持する長さ固定手段をさらに備えていることを特徴とする請求項１に記載のエレベータの釣合おもり用スペーサ装置。
【発明の詳細な説明】
【０００１】
【発明の属する技術分野】
この発明は、主ロープの伸びによる釣合おもりと釣合おもり緩衝器との間の間隔の変化を補償するエレベータの釣合おもり用スペーサ装置に関するものである。
【０００２】
【従来の技術】
通常、かごが最上階に着床しているときの釣合おもりと釣合おもり緩衝器との間の間隔（カウンタークリアランス）は、釣合おもりを吊り下げている主ロープの伸びによって経年的に小さくなる。このような主ロープの伸びによるカウンタークリアランスの変化分を補償するために、釣合おもりの下部には釣合おもり用スペーサ装置が設けられている。
【０００３】
従来の釣合おもり用スペーサ装置は、複数のスペーサが釣合おもりの下部から釣合おもり緩衝器へ向けて重ねられたもので、スペーサ数を増減して長さを調整するようになっている。この長さ調整により、カウンタークリアランスの変化分が補償される。各スペーサは、ボルトにより互いに接続されている（例えば、特許文献１参照）。
【０００４】
【特許文献１】
特開平７−２６７５３７号公報
【０００５】
【発明が解決しようとする課題】
しかしながら、例えば高層用エレベータ装置等のように主ロープの全長が長くなる場合、主ロープの伸びも大きくなるので、各スペーサも大きくかつ重くなる。そのため、スペーサを着脱したときのかごと釣合おもりとの重量差が大きくなり、エレベータ装置の運転効率が悪化する。
【０００６】
また、釣合おもり用スペーサ装置の長さ調整の際、スペーサの着脱の必要があり、スペーサあるいはボルトを落下させてしまう虞がある。
【０００７】
そこでこの発明は、上記のような問題点を解決することを課題とするもので、長さの調整によるエレベータ装置の運転効率の悪化を防止することができるとともに、長さを容易に調整することができるエレベータの釣合おもり用スペーサ装置を得ることを目的とする。
【０００８】
【課題を解決するための手段】
この発明に係るエレベータの釣合おもり用スペーサ装置は、釣合おもりの下方に設置されている釣合おもり緩衝器へ向けて突出するように釣合おもりの下部に搭載され、かつ互いに螺合されている複数のスペーサ体を備え、スペーサ体相互の螺合量を調整することにより、釣合おもりの昇降方向への長さが伸縮可能になっている。
【０００９】
【発明の実施の形態】
以下、この発明の実施の形態を図面を参照しながら説明する。
実施の形態１．
図１は、この発明の実施の形態１によるエレベータ装置の要部を示す構成図である。図において、昇降路２の上部には、巻上機（図示しない）が設置されている。巻上機のシーブには、複数本の主ロープ３が巻き掛けられている。釣合おもり１及びかご（図示しない）は、主ロープ３の一端部及び他端部にそれぞれ接続されて、昇降路２内に吊り下げられている。また、昇降路２内には、一対の釣合おもりガイドレール４が設置されている。釣合おもり１及びかごは、巻上機の駆動により昇降路２内を昇降される。このとき、釣合おもり１は、釣合おもりガイドレール４に案内される。
【００１０】
釣合おもり１は、おもり枠５と、おもり枠５内に搭載された複数のおもり片６とを有している。おもり枠５の下部には、主ロープ３の伸びを補償する伸縮可能な釣合おもり用スペーサ装置７が搭載されている。釣合おもり用スペーサ装置７は、おもり枠５の下部から下方へ突出している。
【００１１】
昇降路２の底部の釣合おもり１の下方には、釣合おもり緩衝器８が設置されている。かごが最上階に着床したとき、釣合おもり用スペーサ装置７の下端面と釣合おもり緩衝器８の上端面との間には、所定の間隔（カウンタークリアランスＬ）が存在するように設定されている。
【００１２】
図２は、図１の釣合おもり用スペーサ装置７を示す構成図であり、釣合おもり用スペーサ装置７が伸びた状態を示している。また図３は、図２の釣合おもり用スペーサ装置７が縮んだ状態を示す構成図である。図において、釣合おもり用スペーサ装置７は、互いに螺合されている第１ないし第５のスペーサ体９〜１３と、スペーサ体１０〜１３に螺合されている長さ固定手段である第１ないし第４の締め付け板１４〜１７とを有している。スペーサ体９〜１３は、互いに内径及び外径の異なる円筒状部材である。
【００１３】
スペーサ体９は、開口端部を釣合おもり緩衝器８へ向けておもり枠５の下部に固定されている。スペーサ体９の内周面には、スペーサ体１０の外周面が螺合されている。同様に、スペーサ体１０〜１２の内周面には、スペーサ体１１〜１３の外周面が螺合されている。釣合おもり用スペーサ装置７は、スペーサ体９〜１３相互の螺合量（挿入深さ）を調整することにより、釣合おもり１の昇降方向（図２の上下方向）への長さが伸縮可能になっている。
【００１４】
締め付け板１４〜１７は、スペーサ体１０〜１３の外周面に螺合されている。締め付け板１４〜１７とスペーサ体９〜１２とがそれぞれ互いに締め付けられることにより、スペーサ体１０〜１３は、回動が阻止されてスペーサ体９〜１２にそれぞれ固定される。
【００１５】
図４は図２の第１のスペーサ体９の形状を示す縦断面図であり、図５は図４のスペーサ体９の底面図である。図において、円筒状のスペーサ体９の内周面にはねじ溝が形成されている。このねじ溝にスペーサ体１０の外周面が螺合されている。また、スペース体９の外周面にはねじ溝は形成されていない。
【００１６】
図６は図２の第２のスペーサ体１０の形状を示す縦断面図であり、図７は図６のスペーサ体１０の底面図である。図において、スペーサ体１０は、円筒部２２と、円筒部２２の一方の開口端部に形成された拡張部であるフランジ部２３とを有している。円筒部２２及びフランジ部２３は、一体成形されている。円筒部２２の内周面及び外周面には、ねじ溝が形成されている。フランジ部２３の開口部の径は、円筒部２２の内径よりも大きく外径よりも小さくなっている。フランジ部２３の外形は四角形である。
なお、スペーサ体１１，１２の構成も、スペーサ体１０の構成と同様であるが、大きさは異なっている。
【００１７】
図８は第５のスペーサ体１３の形状を示す縦断面図であり、図９は図８のスペーサ体１３の底面図である。図において、スペーサ体１３は、円筒部２２と、円筒部２２の一方の開口端部に形成された拡張部である板部２４とを有している。スペーサ体１３の円筒部２２の外周面にはねじ溝が形成されており、内周面にはねじ溝は形成されていない。板部２４は、円筒部２２の開口端部を塞いでいる。また、板部２４の外形は四角形である。
【００１８】
図１０は、図２の第１の締め付け板１４の形状を示す上面図である。図において、締め付け板１４には、貫通孔２５が形成されている。貫通孔２５の内周面には、スペーサ体１０の外周面と螺合するためのねじ溝が形成されている。また、締め付け板１４の外形は四角形である。締め付け板１４がスペーサ体９の開口端部に締め付けられることにより、スペーサ体１０はスペーサ体９に固定される。なお、締め付け板１５〜１７の構成も、貫通孔の径を除いて締め付け板１４の構成と同様であり、締め付け板１５〜１７がスペーサ体１０〜１２のフランジ部２３にそれぞれ締め付けられることにより、スペーサ体１１〜１３はスペーサ体１０〜１２に固定される（図２、図３）。
【００１９】
スペーサ体９〜１３の長さは、スペーサ体９、スペーサ体１０、スペーサ体１１、スペーサ体１２及びスペーサ体１３の順に長くなっている。また、スペーサ体１０〜１３の末端部は、釣合おもり用スペーサ装置７の長さを最短にしたときに、スペーサ体９内にすべて収納されるようになっている（図３）。
【００２０】
次に、釣合おもり用スペーサ装置７の長さ調整の手順について説明する。
まず、締め付けられている締め付け板１４〜１７のうち１枚（例えば、締め付け板１７）をハンマー等で叩いて緩める。この後、スペーサ体１３を回すことにより、スペーサ体１３及びスペーサ体１２相互の螺合量を調整する。このとき、必要に応じて、他の締め付け板１４〜１６も緩めてスペーサ体９〜１２相互の螺合量を調整する。この後、緩めた締め付け板１３を再度締め付けてスペーサ体１３をスペーサ体１２に固定する。締め付け板１４〜１６を緩めている場合には、これらの締め付け板１４〜１６も締め付ける。このようにして、釣合おもり用スペーサ装置７の長さが調整される。
【００２１】
このような構成の釣合おもり用スペーサ装置では、互いに螺合されているスペーサ体９〜１３相互の螺合量を調整することにより、釣合おもり１の昇降方向への長さが伸縮可能になっているので、スペーサ体９〜１３相互の螺合量を調整するだけで釣合おもり用スペーサ装置７の長さを容易にかつ連続的に調整することができ、主ロープ３の伸びによりカウンタークリアランスＬが小さくなったときでも、カウンタークリアランスＬを容易に大きくすることができる。また、長さ調整の際に釣合おもり用スペーサ装置７の一部を取り外すことがないので、釣合おもり１及び釣合おもり用スペーサ装置７の合計重量は変化しない。従って、釣合おもり用スペーサ装置７の長さの調整によるエレベータ装置の運転効率の悪化を防止することができる。
【００２２】
また、スペーサ体１０〜１３には、締め付け用の締め付け板１４〜１７が螺合され、スペーサ体９〜１２と締め付け板１４〜１７とが互いに締め付けられることにより、スペーサ体１０〜１３がスペーサ体９〜１２に固定されるようになっているので、簡単な構成での固定が可能になり、しかも釣合おもり用スペーサ装置７の長さ調整の際に部品を取り外すことがないので、長さ調整による重量変化も無くすことができる。
【００２３】
また、スペーサ体１０〜１３は、拡張部（フランジ部２３、板部２４）を有しているので、スペーサ体１０〜１３を容易に回すことができ、釣合おもり用スペーサ装置７の長さ調整をさらに容易にすることができる。
【００２４】
また、スペーサ体９〜１３の長さは、スペーサ体９、スペーサ体１０、スペーサ体１１、スペーサ体１２及びスペーサ体１３の順に長くなっており、かつ、スペーサ体１０〜１３の末端部は、釣合おもり用スペーサ装置７の長さを最短にしたときに、スペーサ体９内にすべて収納されるようになっているので、おもり枠５を加工することなく、スペーサ９内の収納スペースを有効に活用できるとともに、釣合おもり用スペーサ装置７の長さの調整量を大きくすることができる。
【００２５】
なお、上記の例では、スペーサ体の数は５個であるが、これに限定されることはなく、２〜４個あるいは６個以上であってもよい。
【００２６】
また、上記の例では、最大径のスペーサ体９をおもり枠５の下部に固定しているが、釣合おもり用スペーサ装置７の上下を逆にして最小径のスペーサ体１３をおもり枠５の下部に固定してもよい。
【００２７】
また、上記の例では、締め付け板１４〜１７の外形は四角形であるが、これに限定されるものではなく、例えば締め付け用の工具に合わせて六角形としてもよい。
【００２８】
【発明の効果】
以上の説明から明らかなように、この発明に係るエレベータの釣合おもり用スペーサ装置は、互いに螺合されている複数のスペーサ体を備え、スペーサ体相互の螺合量を調整することにより、釣合おもりの昇降方向への長さが伸縮可能になっているので、スペーサ体相互の螺合量を調整するだけで長さを容易にかつ連続的に調整することができる。また、長さ調整により重量は変化しないので、長さ調整によるエレベータ装置の運転効率の悪化を防止することができる。
【図面の簡単な説明】
【図１】この発明の実施の形態１によるエレベータ装置の要部を示す構成図である。
【図２】図１の釣合おもり用スペーサ装置を示す構成図である。
【図３】図２の釣合おもり用スペーサ装置が縮んだ状態を示す構成図である。
【図４】図２の第１のスペーサ体の形状を示す縦断面図である。
【図５】図４のスペーサ体の底面図である。
【図６】図２の第２のスペーサ体の形状を示す縦断面図である。
【図７】図６のスペーサ体の底面図である。
【図８】図２の第５のスペーサ体の形状を示す縦断面図である。
【図９】図８のスペーサ体の底面図である。
【図１０】図２の第１の締め付け板の形状を示す上面図である。
【符号の説明】
１  釣合おもり、７  釣合おもり用スペーサ装置、８  釣合おもり緩衝器、９〜１３  スペーサ体、１４〜１７  締め付け板（長さ固定手段）。
【図１】
2004217389.tif 000003
【図２】
2004217389.tif 000004
【図３】
2004217389.tif 000005
【図４】
2004217389.tif 000006
【図５】
2004217389.tif 000007
【図６】
2004217389.tif 000008
【図７】
2004217389.tif 000009
【図８】
2004217389.tif 000010
【図９】
2004217389.tif 000011
【図１０】
2004217389.tif 000012